(57)【要約】【課題】採光機能を有しつつ、眩しさを低減することができる採光シート、閉鎖部材、採光システム、及び、採光シートの防眩方法を提供する。【解決手段】採光シート１０は、互いに対向する入射面２０ａと出射面２０ｂとを有し、入射面２０ａから入射した光を偏向して出射面２０ｂから出射させる光偏向部２０と、光偏向部２０の出射面２０ｂ側に設けられ、光偏向部２０側に位置する第１面３０ａと第１面３０ａに対向する第２面３０ｂとを有し、第１の方向から第１面３０ａに入射した光が、第１の方向に交差する第２の方向から第１面３０ａに入射する光よりも多く散乱する光散乱部３０とを備える。【選択図】図１
2017173403.tif 000002
【特許請求の範囲】
【請求項１】
互いに対向する入射面と出射面とを有し、前記入射面から入射した光を偏向して前記出射面から出射させる光偏向部と、
前記光偏向部の前記出射面側に設けられ、前記光偏向部側に位置する第１面と前記第１面に対向する第２面とを有し、第１の方向から前記第１面に入射した光が、前記第１の方向に交差する第２の方向から前記第１面に入射する光よりも多く散乱する光散乱部と、
を備える採光シート。
【請求項２】
請求項１に記載の採光シートにおいて、
前記光散乱部は、屈折率が相違する界面を複数有し、前記第１の方向から入射した光を互いに隣り合う前記界面間において繰り返し反射させて散乱させること、
を特徴とする採光シート。
【請求項３】
請求項２に記載の採光シートにおいて、
複数の前記界面の少なくとも一部は、不等間隔に配置されていること、
を特徴とする採光シート。
【請求項４】
請求項２又は請求項３に記載の採光シートにおいて、
複数の前記界面を含む平面は、前記光偏向部の前記出射面を含む平面となす角度が非垂直であること、
を特徴とする採光シート。
【請求項５】
請求項１に記載の採光シートにおいて、
前記光散乱部は、前記第１の方向に交差する散乱層を複数有し、前記第１の方向から入射した光を散乱させること、
を特徴とする採光シート。
【請求項６】
請求項５に記載の採光シートにおいて、
複数の前記散乱層を含む平面は、前記光偏向部の前記出射面を含む平面となす角度が非垂直であること、
を特徴とする採光シート。
【請求項７】
請求項１から請求項６までのいずれか１項に記載の採光シートにおいて、
前記光偏向部は、第３の方向に延びる複数の溝部が形成される光透過部と、前記溝部に形成され、前記光透過部との界面に反射面を有するルーバー部とを有すること、
を特徴とする採光シート。
【請求項８】
透明基板と、
前記透明基板の一方の面に配置される請求項１から請求項７までのいずれか１項に記載の採光シートと、
を備える閉鎖部材。
【請求項９】
互いに対向する入射面と出射面とを有し、前記入射面から入射した光を偏向して前記出射面から出射させる光偏向部と、
前記光偏向部の前記出射面側に配置され、前記光偏向部側に位置する第１面と前記第１面に対向する第２面とを有し、第１の方向から前記第１面に入射した光が、前記第１の方向に交差する第２の方向から前記第１面に入射する光よりも多く散乱される光散乱部と、
を備える採光システム。
【請求項１０】
請求項１から請求項７までのいずれか１項に記載の採光シートの防眩方法であって、
前記採光シートの前記光散乱部の前記第１面に入射した光のうち、前記第１の方向から入射した光を透過させて前記光散乱部の前記第２面から出射させ、
前記第２の方向から入射した光を散乱させて前記光散乱部の前記第２面から出射させること、
を特徴とする採光シートの防眩方法。
【発明の詳細な説明】
【技術分野】
【０００１】
本開示は、例えば、建造物の内部に太陽光等の光を採り入れる採光シート、閉鎖部材、採光システム、及び、採光シートの防眩方法に関するものである。
【背景技術】
【０００２】
従来、例えば、建造物の窓に配置して、太陽光が直接入射しない屋内に太陽光を導く採光シートが提案されている（特許文献１、２等）。このような採光シートは、複数の光反射面を有する光偏向部を備え、この光反射面により入射光を跳ね上げるように反射して屋内に導く。
【０００３】
採光シートは、このように光反射面で入射光を跳ね上げて利用することにより、跳ね上げた外来光が利用者の目に飛び込んで眩しさを感じさせることが無いように、比較的、屋内の高い位置に配置して使用される。
【０００４】
しかしながら、採光シートは、一部の入射光が、反射して跳ね上げられることなく透過して出射され、この透過光により眩しさが感じられる場合がある。特許文献３には、採光シートの屋内側にブラインドを配置することにより、このような透過光による眩しさを低減する方法が提案されている。また特許文献４には、採光シートの屋内側にハードコート層を設けて透過光を散乱させることにより、このような透過光による眩しさを低減する方法が提案されている。
【０００５】
これら特許文献３に開示の構成によれば、跳ね上げられることなく採光シートを透過する透過光に関して、眩しさを低減することができるものの、光反射面の反射により跳ね上げて屋内に採光された光までも、遮光されたり散乱されたりしてしまい、本来の採光機能が損なわれてしまう場合があった。
【先行技術文献】
【特許文献】
【０００６】
【特許文献１】特開２０１０−２５９４０６号公報
【特許文献２】特開２０１４−１１９７３８号公報
【特許文献３】特開２０１５−００１０８３号公報
【発明の概要】
【発明が解決しようとする課題】
【０００７】
本発明の目的は、採光機能を有しつつ、眩しさを低減することができる採光シート、閉鎖部材、採光システム、及び、採光シートの防眩方法を提供することである。
【課題を解決するための手段】
【０００８】
本発明は、以下のような解決手段により、前記課題を解決する。なお、理解を容易にするために、本発明の実施形態に対応する符号を付して説明するが、これに限定されるものではない。また、符号を付して説明した構成は、適宜改良してもよく、また、少なくとも一部を他の構成物に代替してもよい。
【０００９】
第１の発明は、互いに対向する入射面（２０ａ）と出射面（２０ｂ）とを有し、前記入射面から入射した光を偏向して前記出射面から出射させる光偏向部（２０）と、前記光偏向部の前記出射面側に設けられ、前記光偏向部側に位置する第１面（３０ａ）と前記第１面に対向する第２面（３０ｂ）とを有し、第１の方向から前記第１面に入射した光が、前記第１の方向に交差する第２の方向から前記第１面に入射する光よりも多く散乱する光散乱部（３０）と、を備える採光シート（１０）である。
第２の発明は、透明基板（２）と、前記透明基板の一方の面に配置される第１の発明の採光シート（１０）と、を備える閉鎖部材（１）である。
第３の発明は、互いに対向する入射面（２０ａ）と出射面（２０ｂ）とを有し、前記入射面から入射した光を偏向して前記出射面から出射させる光偏向部（２０）と、前記光偏向部の前記出射面側に配置され、前記光偏向部側に位置する第１面（３０ａ）と前記第１面に対向する第２面（３０ｂ）とを有し、第１の方向から前記第１面に入射した光が、前記第１の方向に交差する第２の方向から前記第１面に入射する光よりも多く散乱される光散乱部（３０）と、を備える採光システム（１０）である。
第４の発明は、第１の発明の採光シート（１０）の防眩方法であって、前記採光シートの前記光散乱部の前記第１面（３０ａ）に入射した光のうち、前記第１の方向から入射した光を透過させて前記光散乱部（３０）の前記第２面（３０ｂ）から出射させ、前記第２の方向から入射した光を散乱させて前記光散乱部の前記第２面から出射させること、を特徴とする採光シートの防眩方法である。
【発明の効果】
【００１０】
本発明によれば、採光機能を有しつつ、眩しさを低減することができる。
【図面の簡単な説明】
【００１１】
【図１】第１実施形態の閉鎖部材及び採光シートの構成を示す断面図である。
【図２】採光シートに設けられる光拡散部の詳細を説明する断面図である。
【図３】図１の構成における入射角２０度の係る光の出射特性を示す図である。
【図４】図１の構成における入射角３０度の係る光の出射特性を示す図である。
【図５】図１の構成における入射角４０度の係る光の出射特性を示す図である。
【図６】図１の構成における入射角５０度の係る光の出射特性を示す図である。
【図７】図１の構成における入射角６０度の係る光の出射特性を示す図である。
【図８】第２実施形態の採光シートに設けられる光拡散部の詳細を説明する断面図である。
【発明を実施するための形態】
【００１２】
（第１実施形態）
図１は、第１実施形態の閉鎖部材及び採光シートの構成を示す断面図である。
図１及び以下の説明において、本実施形態の閉鎖部材の通常の使用状態における鉛直方向をＺ方向、水平方向のうち閉鎖部材の厚み方向をＸ方向、Ｘ方向及びＺ方向に直交する左右方向をＹ方向とする。また、鉛直方向のうち、鉛直上側を＋Ｚ側とし、鉛直下側を−Ｚ側とし、厚み方向のうち屋内側を＋Ｘ側とし、屋外側を−Ｘ側とする。
【００１３】
閉鎖部材１は、接着層３により採光シート１０が貼付された透明基板２である。閉鎖部材１は、空間を区切って閉鎖空間を形成しており、この閉鎖空間は、例えば、建造物の開口部に設けられる窓により仕切られる屋内空間や、パーテーションにより仕切られた空間である。
本実施形態の閉鎖部材１は、建造物の壁面に設けられた開口部に配置されており、屋外から入射する太陽光等の光を屋内側へ採光するために用いられる。また、本実施形態の閉鎖部材１は、屋外側（−Ｘ側）から順に、透明基板２、接着層３、採光シート１０が配置されている。
【００１４】
透明基板２は、建造物の開口部に設けられる閉鎖部材１の基礎となる部材であり、例えば、窓ガラスにより構成される。
接着層３は、透明基板２と採光シート１０とを接着する光透過性を有する接着剤の層であり、この種の部材の接着に使用する各種の粘着剤、接着剤、光硬化性樹脂、熱硬化性樹脂等を用いることができる。より具体的に、例えば、アクリル系の粘着剤、アクリル系共重合体とイソシアネート化合物とを組み合わせた粘着剤等を適用することがき、厚み１０μｍ以上１００μｍ以下により作製することができる。
【００１５】
採光シート１０は、光偏向部２０に、光散乱部３０を接着剤層４０により積層一体化して構成される。接着剤層４０は、光偏向部２０と光散乱部３０とを接着する光透過性を有する接着剤の層であり、この種の部材の接着に使用する各種の粘着剤、接着剤、光硬化性樹脂、熱硬化性樹脂等を用いることができる。より具体的に、例えば、アクリル系の粘着剤、アクリル系共重合体とイソシアネート化合物とを組み合わせた粘着剤等を適用することがき、厚み１０μｍ以上１００μｍ以下により作製することができる。
【００１６】
光偏向部２０は、太陽光等の入射光を反射面Ｍ（後述する）により跳ね上げるように屋内の天井側に反射して、入射光を屋内に採光する平板状のシート状部材である。光偏向部２０の屋外側（−Ｘ側）の面が入射面２０ａであり、入射面２０ａに対向する屋内側（＋Ｘ側）の面が出射面２０ｂである。
光偏向部２０は、基材層２１、光透過部２２、ルーバー部２３を備え、光透過部２２及びルーバー部２３が入射面２０ａ側（屋外側、−Ｘ側）となるように配置される。なお、これに代えて、実用上充分な光学特性を確保できる場合、基材層２１が入射面２０ａ側となるように配置してもよい。
【００１７】
基材層２１は、光透過性を有し、光透過部２２を保持可能な種々の構成を広く適用することができ、例えば、アクリル、スチレン、ポリカーボネート、ポリエチレンテレフタレート、アクリロニトリル等のうちの１つ以上を主成分とする透明樹脂や、エポキシアクリレートやウレタンアクリレート系の反応性樹脂（電離放射線硬化型樹脂等）を適用することができる。本実施形態では、汎用性の高いＰＥＴフィルム材が適用される。
【００１８】
光透過部２２は、基材層２１の透明基板２側の面に設けられた光透過性を有する樹脂の層である。光透過部２２は、左右方向（Ｙ方向）に延長する複数の凹状溝２２ａが鉛直方向（Ｚ方向）に一定のピッチにより形成されている。また、光透過部２２の凹状溝２２ａ内には、ルーバー部２３が設けられており、このルーバー部２３と光透過部２２との界面に反射面Ｍが形成されることとなる。
【００１９】
凹状溝２２ａが設けられた光透過部２２は、基材層２１に透明樹脂材料により賦型用樹脂層を作製し、凹状溝２２ａに対応する形状を有したロール版等の賦型処理用金型を使用して賦型処理することにより作製される。光透過部２２の作製には、賦型処理可能な各種の透明樹脂材料を広く適用することができ、例えば、アクリル、スチレン、ポリカーボネート、ポリエチレンテレフタレート、アクリロニトリル等の１つ以上を主成分とする透明樹脂や、エポキシアクリレートを適用することができる。本実施形態においては、凹状溝２２ａに形成されるルーバー部２３との間で充分な屈折率差を確保して、光透過部２２及びルーバー部２３の界面に反射面Ｍが構成されるように、ウレタンアクリレート系の反応性樹脂が適用される。
【００２０】
凹状溝２２ａは、光透過部２２及びルーバー部２３の界面が反射面Ｍとして機能させるために、そのＸＺ断面における断面形状が決定される。すなわち、凹状溝２２ａの断面形状は、閉鎖部材１（採光シート１０）の設置場所の緯度、設置の向き等によって、入射する太陽光の入射角度、入射時間帯等が種々に異なるため、これら設置個所に係る条件に従って設定される。
【００２１】
具体的に、この実施形態において、凹状溝２２ａは、そのＸＺ断面における断面形状が、楔形形状に形成される。ここで、楔形形状とは、一方の端部の幅が広く、他方に向けて次第に幅が狭くなる形状をいい、三角形形状や台形形状等を含むものをいう。本実施形態の凹状溝２２ａは、入射面２０ａ側の幅が広く、出射面２０ｂ側に向けて次第に幅が狭くなるように形成されている。
また、この凹状溝２２ａの鉛直上側（＋Ｚ側）の壁面は、入射面２０ａに対する傾きが出射面２０ｂ側へ向かうにつれて途中から大きくなるように、断面形状が折れ面形状により形成されており、光透過部２２及びルーバー部２３の界面に形成される反射面Ｍにより、鉛直上側から入射する太陽光等の光を効率良く反射して、屋内の広い範囲に導くことができる。なお、この凹状溝２２ａの鉛直下側（−Ｚ側）の壁面は、平坦面により形成されている。
【００２２】
なお、凹状溝２２ａは、この実施形態では、一定の間隔により繰り返し形成される形態を示したが、これに限定されるものでなく、不等間隔に形成されるようにしてもよい。また凹状溝２２ａの断面形状を、凹状溝２２ａの配列方向（Ｚ方向）や、凹状溝２２ａの延長方向（Ｙ方向）でその都度変化させるようにしてもよい。
【００２３】
ルーバー部２３は、凹状溝２２ａ内に光透過性を有する樹脂部材により形成された部分である。ルーバー部２３は、光透過部２２に比して屈折率の小さな透明樹脂材料が適用されることによって、鉛直上側より入射する入射光に対して、光透過部２２及びルーバー部２３の界面のうち、ルーバー部２３の鉛直上側の界面により反射面Ｍが構成される。
具体的に、ルーバー部２３は、汎用性の観点から、屈折率が１．４５以上１．５１以下の範囲が好ましく、１．４６以上１．４９以下であることがより好ましい。またルーバー部２３は、光透過部２２に対して、屈折率差が０．０７以上、より好ましくは０．１以上であることが望ましい。因みに、屈折率差が０．０７より小さいと全反射可能な角度が少なくなり、十分な採光を得ることができないので望ましくない。また、屈折率差を大きくするために屈折率を１．４５より小さくすると、フッ素材料など汎用性の低い材料を用いることになり、材料物性の面で加工適正が低下し、また、材料の価格面で著しく高価になるので望ましくない。
【００２４】
光透過部２２及びルーバー部２３は、それぞれ、電離放射線硬化性樹脂、その他公知の硬化性樹脂等により形成され、要求性能に応じて適宜採用することができる。
電離放射線硬化性樹脂としては、アクリレート系、オキセタン系、シリコーン系などが挙げられる。例えば、アクリレート系の電離放射線硬化性樹脂は、単官能（メタ）アクリレートモノマー、２官能（メタ）アクリレートモノマーモノマー、３官能以上の（メタ）アクリレートモノマーなどの（メタ）アクリル酸エステルモノマー、ウレタン（メタ）アクリレート、エポキシ（メタ）アクリレート、ポリエステル（メタ）アクリレート等の（メタ）アクリル酸エステルオリゴマー乃至は（メタ）アクリル酸エステルプレポリマーなどからなる。さらに３官能以上の（メタ）アクリレートモノマーを例示すれば、トリメチロールプロパントリ（メタ）アクリレート、ペンタエリスリトールテトラ（メタ）アクリレート、ジペンタエリスリトールヘキサ（メタ）アクリレート等がある。
ルーバー部２３は、光透過部２２の凹状溝２２ａに対して、例えば、ルーバー部２３を構成する樹脂を充填し、ドクター刃によりワイピングすることによって形成される。
【００２５】
なお、ルーバー部２３は、光透過部２２に比して屈折率の大きな透明樹脂材料を適用して、鉛直上側から入射する入射光に対して、光透過部２２及びルーバー部２３の界面のうち、ルーバー部２３の鉛直下側の界面により反射面Ｍを構成するようにしてもよい。また、ルーバー部２３は、例えば、アルミニウム等の金属微粒子を含有する透明樹脂材料、白色インク等を適用して、光透過部２２との界面に反射面Ｍを構成するようにしてもよい。
【００２６】
ところでこのように、太陽光等の鉛直上側から屋内側へ向けて斜め右下側に向かい、光透過部２２へ入射する入射光のうち多くは、反射面Ｍにより跳ね上げられように反射して、屋内側へ向けて斜め右上方向に導かれる。しかし、他の入射光は、ほぼ直進して光透過部２２を透過し、斜め右下方向へ向かって出射面２０ｂから出射するため、この透過光により屋内にいる者に眩しさを感じさせてしまう場合がある。
【００２７】
そこで、本実施形態では、光偏向部２０の出射面２０ｂ側に光散乱部３０を設け、この光散乱部３０により、この透過光を選択的に散乱させて、太陽光等の屋外の光を、屋内の天井側へ採光する機能を損なうことなく、眩しさをも低減する。
光散乱部３０は、図２に示すように、光偏向部２０側に位置する第１面３０ａと、第１面３０ａに対向する第２面３０ｂを有したシート状の部材であり、斜め左上から右下へ向かう方向（第１の方向）から第１面３０ａに入射した光が、斜め左下から右上へ向かう方向（第２の方向）から前記第１面に入射する光よりも多く散乱する機能を有している。
本実施形態の光散乱部３０は、屈折率の相違する第１屈折率部３１及び第２屈折率部３２が鉛直方向に交互に配列されており、光散乱部３０には、第１屈折率部３１及び第２屈折率部３２の界面Ｋが複数形成されている。
【００２８】
この界面Ｋは、隣り合う他の界面Ｋとの間隔が不等間隔に配置されている。また、この界面Ｋを含む平面は、光偏向部２０の出射面２０ｂを含む平面（ＹＺ面）となす角度が非垂直、すなわち９０度以外の角度に配置されている。本実施形態の界面Ｋは、界面Ｋの第１面３０ａ側の端部ｋ１が、第２面３０ｂ側の端部ｋ２よりも鉛直上側（＋Ｚ側）に位置するように形成されている。
【００２９】
このように界面Ｋが形成されることにより、偏向部２０の出射面２０ｂから出射し光散乱部３０に入射した光のうち、斜め左下から右上に向かう方向（第２の方向）から入射した光Ｌ２は、光散乱部３０に入射して、界面Ｋとなす角度が全反射を生じさせない程度の入射角度で界面Ｋへ入射し、散乱されることなく透過して、そのまま第２面３０ｂから出射することとなる。
また、偏向部２０の出射面２０ｂから出射し光散乱部３０に入射した光のうち、斜め左上から右下に向かう方向（第１の方向）から入射した光Ｌ１は、光散乱部３０の第１面３０ａに入射して、複数の界面Ｋ間において全反射を繰り返して散乱光となり、第２面３０ｂから出射することとなる。
【００３０】
そのため、採光シート１０は、光散乱部３０によって、光偏向部２０を透過した光のうち鉛直上側へ向かう光をほとんど散乱させることなく屋内側へ出射させるとともに、鉛直下側へ向かう光を散乱させた上で屋内側へ出射させることができ、太陽光等の屋外の光を、屋内の天井側へ採光する機能を損なうことなく、眩しさをも低減することができる。
【００３１】
光散乱部３０に設けられた各界面Ｋは、不規則な間隔により配置され、これにより光散乱部３０は、配列された界面Ｋの繰り返しによる規則性を抑制して、透過光をより効率よく散乱させることができる。
なお、光散乱部３０は、樹脂基材上に、屈折率の異なる第１屈折率部３１、第２屈折率部３２を順次、繰り返し積層し、この積層体を斜めに切り出すことによって製造される。
【００３２】
また、光散乱部３０は、例えば、特許第２８２２０６５号に提案されているように、分子内に重合性炭素−炭素二重結合を複数有し、硬化前後に０．０１以上の屈折率差を有する化合物を用いて、特定の角度をなす入射光を選択的に散乱させるようにしてもよい。ここで、第１屈折率部３１及び第２屈折率部３２は、化合物の硬化度の違いにより形成されており、これにより、第１屈折率部３１と第２屈折率部３２とで屈折率の差が設けられることとなる。
この場合、使用される化合物としては、例えば、トリエチレングリコールジアクリレート、ポリエチレングリコールジアクリレート、ネオペンチルグリコールジアクリレート、１，６−ヘキサンジオールジアクリレート、水添ジシクロペンタジエンジイルジアクリレート、エチレンオキサイド変性ビスフェノールＡジアクリレート、トリメチロールプロパントリアクリレート、ジペンタエリスリトールヘキサアクリレート、トリスアクリロキシイソシアヌレート、多官能のエポキシアクリレート、多官能のウレタンアクリレートや、これらのアクリレートに対応するメタクリレートおよびジビニルベンゼン、トリアリルイソシヌレート、ジエチレングリコールビスアリルカーボネートなどがあげられる。
また、化合物の硬化前後の屈折率差は、０．０１以上が望ましく、０．０２以上であることがより望ましい。仮に、屈折率差が０．０１よりも小さい場合、散乱機能を十分に有することができなくなる場合があるので望ましくない。
【００３３】
（評価結果）
図３〜図７は、異なる入射角度の入射光を入射した閉鎖部材の出射特性を示す図である。この図３〜図７では、図１の配置に対応するように鉛直方向を設定し、閉鎖部材の左側を屋外側とし、右側を屋内側としており、閉鎖部材の屋外側に光源が配置され、閉鎖部材の屋内側の透過光量を計測した。
なお、透過光量は、対数表示により示す。透過光量の計測は、３次元変角分光測色システム（村上色彩技術研究所社製  ＧＣＭＳ１１）を使用し、Ｄ６５光源を適用した。測定モードは、透過測定モードである。
【００３４】
本評価試験では、上述の図１に示す閉鎖部材と同様の構成を有する実施例の閉鎖部材と、図１の閉鎖部材のうち光散乱部３０を省略した比較例の閉鎖部材とを用い、それぞれの透過光量の測定を行った。
図３、図４、図５、図６、図７は、閉鎖部材の屋外側に光源を配置して光源を順次段階的に移動して、光の入射角度が、水平面に対して鉛直上側に２０度、３０度、４０度、５０度、６０度傾斜した場合の透過光量の計測結果を示した図である。各図中の符号Ａは、比較例の閉鎖部材の透過光量の分布であり、符号Ｂは、実施例の閉鎖部材の透過光量の分布である。
【００３５】
なお、透過光の光量は、受光面が直径３ｍｍ（視野２度）の円形形状である受光器を使用して、受光面を閉鎖部材１の表面と平行に保持して計測し、直径が３ｍｍの円形形状の受光面で計測した計測結果に正規化して表している。
【００３６】
図３〜図７に示すように、光散乱部を備えない比較例の閉鎖部材の計測結果では、各入射角において、右側下側、すなわち屋内側の下側に光量のピークが計測されている。そのため、比較例の閉鎖部材は、屋内側の下側に向けて透過光が多くなる傾向であり、これにより屋内側に居る者に眩しさを感じさせてしまうことが確認された。
これに対して、光散乱部３０を備えた実施例の閉鎖部材では、上述のような屋内側の下側に生じる光量のピークが比較例の閉鎖部材に比して抑制されているのが確認された。これにより、実施例の閉鎖部材は、屋内側の下側を透過する光による眩しさを低減できることが確認された。
また、光散乱部３０を備えた実施例の閉鎖部材では、右上側、すなわち屋内側の上側における透過光の光量が、光散乱部を備えない比較例の閉鎖部材とほぼ同等であり、光偏向部２０により採光機能が損なわれていないことも確認された。
【００３７】
以上より、本実施形態の閉鎖部材１（採光シート１０）は、斜め左上から右下に向かう方向（第１の方向）から第１面３０ａに入射した光が、斜め左下から右上に向かう方向（第２の方向）から第１面３０ａに入射する光よりも多く散乱している。これにより、閉鎖部材１（採光シート１０）は、光の採光機能を有しつつ、眩しさを低減することができる。特に、透過光を散乱させることにより、入射光を吸収する場合のように入射光を損なうことなく有効に利用することができる。
【００３８】
また、本実施形態の閉鎖部材１（採光シート１０）は、光散乱部３０が、屈折率が相違する界面Ｋを複数有し、斜め左上から右下に向かう方向（第１の方向）から入射した光を互いに隣り合う界面Ｋ間において繰り返し反射させて散乱させている。これにより、斜め左上方向から入射した光を散乱させる光散乱部３０を、より簡易な構成で実現することができる。
更に、本実施形態の閉鎖部材１（採光シート１０）は、光散乱部３０の各界面Ｋが不等間隔に配置されているので、より確実に透過光を散乱させることができる。
【００３９】
（第２実施形態）
図８は、本発明の第２実施形態の採光シート１０に設けられる光散乱部５０の詳細を説明する断面図である。
なお、以下の説明及び図面において、前述した第１実施形態と同様の機能を果たす部分には、同一の符号又は末尾に同一の符号を付して、重複する説明を適宜省略する。
この本実施形態の閉鎖部材１は、採光シート１０に設けられる光散乱部５０の形態が上述の第１実施形態の光散乱部３０と相違する。
【００４０】
光散乱部５０は、図８に示すように、光偏向部２０側に位置する第１面５０ａと、第１面５０ａに対向する第２面５０ｂを有したシート状の部材であり、斜め左上から右下に向かう方向（第１の方向）から第１面５０ａに入射した光が、斜め左下から右上に向かう方向（第２の方向）から前記第１面に入射する光よりも多く散乱する機能を有している。
本実施形態の光散乱部５０は、透過層５３及び散乱層５４が鉛直方向（Ｚ方向）に交互に繰り返し配列された形態に形成されている。
透過層５３は、光透過性を有する透明な樹脂（例えば、アクリル、スチレン、ポリカーボネート、ポリエチレンテレフタレート、アクリロニトリル等のうちの１つ以上を主成分とする透明樹脂や、エポキシアクリレートやウレタンアクリレート系の反応性樹脂（電離放射線硬化型樹脂等））により形成された層である。
【００４１】
散乱層５４は、光を散乱させる機能を有する厚みの均一なシート状の層である。本実施形態の散乱層５４は、透明樹脂中にシリカやアクリルビーズ等から形成される粒状体を分散させることにより形成されており、含有される粒状体によってこの層に入射した光を散乱させることができる。
なお、散乱層５４は、上記の形態に限定されるものでなく、例えば、透明樹脂から形成された平板状の層の表面に微細凹凸形状を形成することにより、入射した光を分散させるようにしてもよい。
【００４２】
ここで、この散乱層５４を含む平面は、光偏向部２０の出射面２０ｂを含む平面となす角度が非垂直、すなわち９０度以外の角度に配置されている。
本実施形態の散乱層５４は、散乱層５４の第１面５０ａ側の端部ｔ１が、第２面５０ｂ側の端部ｔ２よりも鉛直下側（−Ｚ）に位置するように形成されている。
ここで、散乱層５４を含む平面とは、散乱層５４が、厚みが均一な平板状である場合、その表面をいい、また、散乱層５４の表面に微細凹凸形状が設けられている場合、その微細凹凸形状の平均高さとなる面をいう。
【００４３】
これにより、偏向部２０の出射面２０ｂから出射し光散乱部５０に入射した光のうち、斜め左下から右上に向かう方向（第２の方向）から入射した光Ｌ２のほとんどは、散乱層５４に入射することなく、透過層５３のみを透過して、そのまま第２面５０ｂから出射することとなる。
また、偏向部２０の出射面２０ｂから出射し光散乱部５０に入射した光のうち、斜め左上から右下に向かう方向（第１の方向）から入射する光Ｌ１は、複数の散乱層５４を透過することにより散乱光となり、第２面５０ｂから出射することとなる。
【００４４】
そのため、採光シート１０は、光散乱部５０によって、光偏向部２０を透過した光のうち鉛直上側へ向かう光をほとんど散乱させることなく屋内側へ出射させるとともに、鉛直下側へ向かう光を散乱させた上で屋内側へ出射させることができ、太陽光等の屋外の光を、屋内の天井側へ採光する機能を損なうことなく、眩しさをも低減することができる。
【００４５】
本実施形態では、光散乱部５０に設けられた各散乱層５４は、規則的な間隔で配置されているが、これに限定されるものでなく、不等間隔に配置されるようにしてもよい。
なお、光散乱部５０は、樹脂基材上に、透過層５３、散乱層５４を繰り返し作製して積層させた後に、この積層体を斜めに切り出すことによって製造される。
【００４６】
以上より、本実施形態の閉鎖部材１（採光シート１０）は、上述の第１実施形態の閉鎖部材１（採光シート１０）と同様の効果を奏することができる。すなわち、本実施形態の閉鎖部材１（採光シート１０）は、光の採光機能を有しつつ、眩しさを低減することができる。
また、本実施形態の閉鎖部材１（採光シート１０）は、斜め左上から右下に向かう方向（第１の方向）に交差する散乱層５４を複数有し、斜め左上から入射した光を散乱させるので、光散乱部５０をより簡易な構成で実現することができる。
【００４７】
以上、本発明の実施形態について説明したが、本発明は前述した実施形態に限定されるものではなく、後述する変形形態のように種々の変形や変更が可能であって、それらも本発明の技術的範囲内である。また、実施形態に記載した効果は、本発明から生じる最も好適な効果を列挙したに過ぎず、本発明による効果は、実施形態に記載したものに限定されない。なお、前述した実施形態及び後述する変形形態は、適宜組み合わせて用いることもできるが、詳細な説明は省略する。
【００４８】
（変形形態）
（１）上述の実施形態において、光偏向部２０に対して光散乱部３０（５０）が接着剤層４０により接着される採光シート１０の例を示したが、これに限定されるものでない。
例えば、第１実施形態において採光シート１０を構成する代わりに、光偏向部２０の出射面２０ｂに対向して、第１面３０ａが対向するようにして光散乱部３０が配置されるが、必要に応じて光散乱部３０を光偏向部２０から退避可能に配置される採光システムの形態としてもよい。この場合、光散乱部３０は、例えば、手動により光偏向部２０から退避させるようにしてもよく、光散乱部３０を巻き取り可能にして、ロールに巻き取られることにより光偏向部２０から退避されるようにしてもよい。
なお、光散乱部３０に対して光偏向部２０を退避させるようにしてもよい。
【００４９】
（２）上述の各実施形態において、光偏向部２０は、光透過部２２及びルーバー部２３を備える例で説明したが、これに限定されるものでなく、異なる構成によって入射した光を偏向するようにしてもよい。
例えば、光偏向部２０は、上述の光透過部２２及びルーバー部２３が同一の材料で形成され、光透過部２２に対するルーバー部２３の上側の界面に、光反射材料（例えば、アルミニウム等の金属）により形成された反射面Ｍが形成される形態としてもよい。
また、光偏向部２０は、入射面２０ａに沿ってプリズム体が鉛直方向（Ｚ方向）に複数配列された形態としてもよく、更に、プリズム体を形成する代わりに、フレネルレンズ形状を形成する形態としてもよい。
【符号の説明】
【００５０】
１  閉鎖部材
２  透明基板
１０  採光シート
２０  光偏向部
２０ａ  入射面
２０ｂ  出射面
２１  基材層
２２  光透過部
２２ａ  凹状溝
２３  ルーバー部
３０  光散乱部
３０ａ  第１面
３０ｂ  第２面
３１  第１屈折率部
３２  第２屈折率部
５０  光散乱部
５０ａ  第１面
５０ｂ  第２面
５３  透過層
５４  散乱層
Ｍ  反射面
【図１】
2017173403.tif 000003
【図２】
2017173403.tif 000004
【図３】
2017173403.tif 000005
【図４】
2017173403.tif 000006
【図５】
2017173403.tif 000007
【図６】
2017173403.tif 000008
【図７】
2017173403.tif 000009
【図８】
2017173403.tif 000010